(57)【要約】【課題】携帯装置のバッテリが枯渇しているか否かを自動的に判定し、判定結果に従って、携帯装置のバッテリへの充電を制御することができるリーダライタ装置を提供する。【解決手段】リーダライタ装置３は、リーダライタ用コイル３５が接続され、近接型非接触ＩＣチップ２１との間で非接触データ通信をするリーダライタ部３１と、電力供給用コイル３４が接続され、電磁誘導により近接型非接触ＩＣチップ２１を動作させるバッテリ２２へ電力を供給する電力供給部３３と、近接する物体の有無を検出するセンサ３２と、センサ３２が物体を検出したことに応じて、バッテリ２２の電力有無を、リーダライタ部３１を作動させて確認し、バッテリ２２の電力を確認できなかった場合に、リーダライタ部３１を作動させた状態で電力供給部３３を作動させて充電処理を開始する制御部３０と、を備える。【選択図】図１
2014140305.tif 000002
【特許請求の範囲】
【請求項１】
リーダライタ用コイルが接続され、外部の非接触ＩＣチップとの間で非接触データ通信をするリーダライタ部と、
電力供給用コイルが接続され、電磁誘導により前記非接触ＩＣチップを動作させるバッテリへ電力を供給する電力供給部と、
近接する物体の有無を検出するセンサと、
前記センサが前記物体を検出したことに応じて、前記バッテリの電力有無を、前記リーダライタ部を作動させて確認し、前記バッテリの電力を確認できなかった場合に、前記リーダライタ部を作動させた状態で前記電力供給部を作動させて充電処理を開始する制御手段と、
を備えることを特徴とするリーダライタ装置。
【請求項２】
請求項１に記載のリーダライタ装置において、
前記制御手段は、前記物体との間で前記リーダライタ部を利用した非接触データ通信が可能であるか否かを判定することによって、前記バッテリの電力有無を確認すること、
を特徴とするリーダライタ装置。
【請求項３】
請求項２に記載のリーダライタ装置において、
前記制御手段は、前記リーダライタ部が一定間隔毎に発信する初期応答コマンドのレスポンスを、前記センサが前記物体を検出した後に前記リーダライタ部が受信した否かによって、非接触データ通信が可能であるか否かを判定すること、
を特徴とするリーダライタ装置。
【請求項４】
請求項３に記載のリーダライタ装置において、
前記制御手段は、前記電力供給部を作動させてから設定時間が経過しても前記初期応答コマンドのレスポンスを前記リーダライタ部が受信できない場合には、充電処理を中断し、前記設定時間内に前記初期応答コマンドのレスポンスを前記リーダライタ部が受信できた場合には、前記非接触ＩＣチップが対応している特定機能に係わるトランザクション処理を実行すること、
を特徴とするリーダライタ装置。
【請求項５】
請求項４に記載のリーダライタ装置において、
前記リーダライタ装置の前記制御手段は、前記設定時間内に前記初期応答コマンドのレスポンスを前記リーダライタ部が受信できた場合には、充電処理を中断することなく、前記非接触ＩＣチップが対応している特定機能に係わるトランザクション処理を実行すること、
を特徴とするリーダライタ装置。
【請求項６】
外部装置と、前記外部装置と非接触データ通信するリーダライタ装置とから少なくとも構成されるバッテリ充電システムであって、
前記外部装置は、
バッテリと、
充電用コイルが接続され、前記充電用コイルの両端に生じる電磁誘導よって得られる電力を前記バッテリへ充電するバッテリ充電部と、
データ通信用コイルが接続され、前記バッテリから電力供給され単独動作可能な非接触ＩＣチップと、
を備え、
前記リーダライタ装置は、
リーダライタ用コイルが接続され、前記非接触ＩＣチップと非接触データ通信するリーダライタ部と、
電力供給用コイルが接続され、電磁誘導により前記バッテリへ電力を供給する電力供給部と、
前記リーダライタ装置に近接する物体の有無を検出するセンサと、
前記センサが前記物体を検出したことに応じて、前記バッテリの電力有無を、前記リーダライタ部を作動させて確認し、前記バッテリの電力を確認できなかった場合に、前記リーダライタ部を作動させた状態で前記電力供給部を作動させて充電処理を開始する制御手段と、
を備えることを特徴とするバッテリ充電システム。
【請求項７】
請求項６に記載のバッテリ充電システムにおいて、
前記リーダライタ装置の前記制御手段は、前記物体との間で前記リーダライタ部を利用した非接触データ通信が可能であるか否かを判定することによって、前記バッテリの電力有無を確認すること、
を特徴とするバッテリ充電システム。
【請求項８】
請求項７に記載のバッテリ充電システムにおいて、
前記リーダライタ装置の前記制御手段は、前記リーダライタ部が一定間隔毎に発信する初期応答コマンドのレスポンスを、前記センサが前記物体を検出した後に前記リーダライタ部が受信した否かによって、非接触データ通信が可能であるか否かを判定すること、
を特徴とするバッテリ充電システム。
【請求項９】
リーダライタ装置が、非接触ＩＣチップが実装された外部装置に内蔵されたバッテリに電力を充電するバッテリ充電方法であって、
前記リーダライタ装置が、前記リーダライタ装置に備えられたセンサが前記リーダライタ装置に近接する物体を検出する検出ステップと、
前記リーダライタ装置が、前記検出ステップにおいて検出したことに応じて、前記バッテリの電力有無を、リーダライタ用コイルが接続され、前記非接触ＩＣチップと非接触データ通信するリーダライタ部を作動させて確認する確認ステップと、
前記リーダライタ装置が、前記確認ステップにおいて前記バッテリの電力を確認できなかった場合に、前記リーダライタ部を作動させた状態で電力供給用コイルを利用し電磁誘導によって前記バッテリへ電力を供給する電力供給部を作動させ、充電処理を開始する充電開始ステップと、
を含むことを特徴とするバッテリ充電方法。
【請求項１０】
請求項９に記載のバッテリ充電方法において、
前記確認ステップにおいて、前記リーダライタ装置は、前記リーダライタ部を利用して、前記物体との間で非接触データ通信が可能であるか否かを判定することによって、前記バッテリの電力有無を確認すること、
を特徴とするバッテリ充電方法。
【請求項１１】
請求項１０に記載のバッテリ充電方法において、
前記確認ステップにおいて、前記リーダライタ装置は、前記リーダライタ部が一定間隔毎に発信する初期応答コマンドのレスポンスを、前記センサが前記物体を検出した後に前記リーダライタ部が受信した否かによって、非接触データ通信が可能であるか否かを判定すること、
を特徴とするバッテリ充電方法。
【発明の詳細な説明】
【技術分野】
【０００１】
本発明は、携帯電話に代表される携帯装置のバッテリの電力を充電するための技術に関する。
【背景技術】
【０００２】
携帯電話に代表される携帯装置はユーザが常時所持する装置であるため、携帯装置に近接型（Proximity）非接触ＩＣチップを実装させ、近接型非接触ＩＣカードの特定機能（例えば、電子マネー）に該携帯装置を対応させるケースが増えている。
【０００３】
例えば、携帯装置に実装された近接型非接触ＩＣチップが特定機能として電子マネーに対応している場合、ネットワーク上の仮想店舗で利用されるときは、通常の携帯装置で機能させるための制御回路とコンビネーション動作し、実在店舗で利用されるときは、制御回路とはコンビネーション動作せずに単独動作するように携帯装置は構成されるが、近接型非接触ＩＣチップは、コンビネーション動作又は単独動作に係わらず、携帯装置に実装されるバッテリの電力で動作するため、該バッテリの電力が枯渇すると、携帯装置のみならず、近接型非接触ＩＣチップも動作しなくなってしまう問題がある。
【０００４】
携帯装置に実装された近接型非接触ＩＣチップがコンビネーション動作する場合、近接型非接触ＩＣチップは、携帯装置の制御回路とデータ通信するが、近接型非接触ＩＣチップがコンビネーション動作する場合、近接型非接触ＩＣチップは外部リーダライタと通信するため、携帯装置に実装されるバッテリの電力が枯渇している場合、近接型非接触ＩＣチップを単独動作できるだけの電力を外部装置からバッテリに供給させることは技術的に可能である。
【０００５】
携帯端末などに内蔵されたバッテリに対し外部リーダライタから電力を供給する発明としては、例えば、特許文献１や特許文献２が既に開示されている。特許文献１で開示されている発明において、バッテリが内蔵された装置は非接触ＩＣカードで、特許文献１の非接触ＩＣカードは、データ通信用途と充電用途で共通利用するアンテナを備え、充電効率を高めるために、充電時に該アンテナの抵抗値を低下させる発明である。
【０００６】
また、特許文献２で開示されている発明において、バッテリが内容された装置は携帯装置（携帯電話）で、特許文献２の携帯装置は、特許文献１と同様に、データ通信用途と充電用途で共通利用するアンテナ（例えば、渦巻き状の扁平アンテナ）を備え、携帯装置とデータ通信する充電装置は、携帯装置を所持するユーザから指示を受けると、携帯装置から得られたバッテリ残量に基づき充電時間を算出し、該充電時間が経過するまで携帯装置に対して電力を供給する。
【先行技術文献】
【特許文献】
【０００７】
【特許文献１】特開２００８−１１３５１９号公報
【特許文献２】特開２００８−２３６８８８号公報
【発明の概要】
【発明が解決しようとする課題】
【０００８】
確かに、特許文献２で開示されている発明を用いれば、近接型非接触ＩＣチップが実装された携帯装置のバッテリが枯渇している場合であっても、リーダライタの機能を備えたリーダライタ装置から携帯電話のバッテリに対して電力を供給することができるようになるが、リーダライタ装置は、携帯装置のバッテリが枯渇しているか否かを自動的に判定し、判定結果に従って、携帯電話のバッテリに対する充電を制御することはできなかった。
【０００９】
そこで、本発明は、携帯装置のバッテリが枯渇しているか否かを自動的に判定し、判定結果に従って、携帯装置のバッテリへの充電を制御することができるバッテリ充電システム、方法及びリーダライタ装置を提供することを目的とする。
【課題を解決するための手段】
【００１０】
本発明は、以下のような解決手段により、前記課題を解決する。
第１の発明は、リーダライタ用コイルが接続され、外部の非接触ＩＣチップとの間で非接触データ通信をするリーダライタ部と、電力供給用コイルが接続され、電磁誘導により前記非接触ＩＣチップを動作させるバッテリへ電力を供給する電力供給部と、近接する物体の有無を検出するセンサと、前記センサが前記物体を検出したことに応じて、前記バッテリの電力有無を、前記リーダライタ部を作動させて確認し、前記バッテリの電力を確認できなかった場合に、前記リーダライタ部を作動させた状態で前記電力供給部を作動させて充電処理を開始する制御手段と、を備えることを特徴とするリーダライタ装置である。
第２の発明は、第１の発明のリーダライタ装置において、前記制御手段は、前記物体との間で前記リーダライタ部を利用した非接触データ通信が可能であるか否かを判定することによって、前記バッテリの電力有無を確認すること、を特徴とするリーダライタ装置である。
第３の発明は、第２の発明のリーダライタ装置において、前記制御手段は、前記リーダライタ部が一定間隔毎に発信する初期応答コマンドのレスポンスを、前記センサが前記物体を検出した後に前記リーダライタ部が受信した否かによって、非接触データ通信が可能であるか否かを判定すること、を特徴とするリーダライタ装置である。
第４の発明は、第３の発明のリーダライタ装置において、前記制御手段は、前記電力供給部を作動させてから設定時間が経過しても前記初期応答コマンドのレスポンスを前記リーダライタ部が受信できない場合には、充電処理を中断し、前記設定時間内に前記初期応答コマンドのレスポンスを前記リーダライタ部が受信できた場合には、前記非接触ＩＣチップが対応している特定機能に係わるトランザクション処理を実行すること、を特徴とするリーダライタ装置である。
第５の発明は、第４の発明のリーダライタ装置において、前記リーダライタ装置の前記制御手段は、前記設定時間内に前記初期応答コマンドのレスポンスを前記リーダライタ部が受信できた場合には、充電処理を中断することなく、前記非接触ＩＣチップが対応している特定機能に係わるトランザクション処理を実行すること、を特徴とするリーダライタ装置である。
【００１１】
第６の発明は、外部装置と、前記外部装置と非接触データ通信するリーダライタ装置とから少なくとも構成されるバッテリ充電システムであって、前記外部装置は、バッテリと、充電用コイルが接続され、前記充電用コイルの両端に生じる電磁誘導よって得られる電力を前記バッテリへ充電するバッテリ充電部と、データ通信用コイルが接続され、前記バッテリから電力供給され単独動作可能な非接触ＩＣチップと、を備え、前記リーダライタ装置は、リーダライタ用コイルが接続され、前記非接触ＩＣチップと非接触データ通信するリーダライタ部と、電力供給用コイルが接続され、電磁誘導により前記バッテリへ電力を供給する電力供給部と、前記リーダライタ装置に近接する物体の有無を検出するセンサと、前記センサが前記物体を検出したことに応じて、前記バッテリの電力有無を、前記リーダライタ部を作動させて確認し、前記バッテリの電力を確認できなかった場合に、前記リーダライタ部を作動させた状態で前記電力供給部を作動させて充電処理を開始する制御手段と、を備えることを特徴とするバッテリ充電システムである。
第７の発明は、第６の発明のバッテリ充電システムにおいて、前記リーダライタ装置の前記制御手段は、前記物体との間で前記リーダライタ部を利用した非接触データ通信が可能であるか否かを判定することによって、前記バッテリの電力有無を確認すること、を特徴とするバッテリ充電システムである。
第８の発明は、第７の発明のバッテリ充電システムにおいて、前記リーダライタ装置の前記制御手段は、前記リーダライタ部が一定間隔毎に発信する初期応答コマンドのレスポンスを、前記センサが前記物体を検出した後に前記リーダライタ部が受信した否かによって、非接触データ通信が可能であるか否かを判定すること、を特徴とするバッテリ充電システムである。
【００１２】
第９の発明は、リーダライタ装置が、非接触ＩＣチップが実装された外部装置に内蔵されたバッテリに電力を充電するバッテリ充電方法であって、前記リーダライタ装置が、前記リーダライタ装置に備えられたセンサが前記リーダライタ装置に近接する物体を検出する検出ステップと、前記リーダライタ装置が、前記検出ステップにおいて検出したことに応じて、前記バッテリの電力有無を、リーダライタ用コイルが接続され、前記非接触ＩＣチップと非接触データ通信するリーダライタ部を作動させて確認する確認ステップと、前記リーダライタ装置が、前記確認ステップにおいて前記バッテリの電力を確認できなかった場合に、前記リーダライタ部を作動させた状態で電力供給用コイルを利用し電磁誘導によって前記バッテリへ電力を供給する電力供給部を作動させ、充電処理を開始する充電開始ステップと、を含むことを特徴とするバッテリ充電方法である。
第１０の発明は、第９の発明のバッテリ充電方法において、前記確認ステップにおいて、前記リーダライタ装置は、前記リーダライタ部を利用して、前記物体との間で非接触データ通信が可能であるか否かを判定することによって、前記バッテリの電力有無を確認すること、を特徴とするバッテリ充電方法である。
第１１の発明は、第１０の発明のバッテリ充電方法において、前記確認ステップにおいて、前記リーダライタ装置は、前記リーダライタ部が一定間隔毎に発信する初期応答コマンドのレスポンスを、前記センサが前記物体を検出した後に前記リーダライタ部が受信した否かによって、非接触データ通信が可能であるか否かを判定すること、を特徴とするバッテリ充電方法である。
【発明の効果】
【００１３】
上述した本発明によれば、携帯装置のバッテリが枯渇しているか否かを自動的に判定し、判定結果に従って、携帯装置のバッテリへの充電を制御することができるバッテリ充電システム、方法及びリーダライタ装置を提供できる。
【図面の簡単な説明】
【００１４】
【図１】バッテリ充電システムの構成を説明する図。
【図２】携帯電話及びリーダライタ装置のブロック図。
【図３】携帯電話のバッテリへの電力を充電する手順を示したフロー図。
【発明を実施するための形態】
【００１５】
ここから、本願発明の実施形態について、本願発明の技術分野に係わる当業者が、本願発明の内容を理解し、本願発明を実施できる程度に説明する。
【００１６】
図１は、本実施形態に係わるバッテリ充電システム１の構成を説明する図で、図１で図示したバッテリ充電システム１は、おサイフケータイ（登録商標）で有名なＦｅｌｉＣａ（登録商標）に代表される近接型非接触ＩＣチップが実装された携帯装置である携帯電話２と、携帯電話２と近接型の非接触データ通信するリーダライタ機能及び携帯電話２のバッテリを充電する充電機能を兼ね備えたリーダライタ装置３とから少なくとも構成されている。
【００１７】
なお、図１では、携帯装置を携帯電話２としているが、携帯電話２以外でも、近接型非接触ＩＣチップを搭載可能なＰＤＡ（Personal  Digital  Assistant）や、バッテリ内蔵型の近接型非接触ＩＣカードを携帯装置として利用できる。
【００１８】
図２は、バッテリ充電システム１を構成する携帯電話２及びリーダライタ装置３のブロック図で、図２（ａ）は携帯電話２のブロック図で、図２（ｂ）はリーダライタ装置３のブロック図である。
【００１９】
図２に図示したように携帯電話２は、アンテナ、液晶ディスプレイ、ディスプレイ駆動回路、ベースバンド処理回路、アプリケーションプロセッサ、メモリなどが実装され、汎用の携帯電話として機能するためのベース回路部２０と、上述している近接型非接触ＩＣチップ２１と、ベース回路部２０及び近接型非接触ＩＣチップ２１に電力を供給するバッテリ２２と、リーダライタ装置３が送信する電力搬送波を受信する充電用コイル２４と、交流を直流に変換するためのブリッジ回路、充電電圧を制御する電圧制御ＩＣチップなどが実装され、充電用コイル２４の両端に生じる電磁誘導よって得られる電力をバッテリ２２へ充電するバッテリ充電部２３を備えている。
【００２０】
データ通信用と充電用のコイルを兼用にすることもできるが、特許文献１で開示されているような問題が生じるため、本実施形態では、近接型の非接触データ通信に利用するデータ通信用コイル２５を、バッテリ２２の充電に利用する充電用コイル２４とは別に設け、データ通信用コイル２５は近接型非接触ＩＣチップ２１に接続され、近接型非接触ＩＣチップ２１は、データ通信用コイル２５を用いてリーダライタ装置３と非接触データ通信する。
【００２１】
また、図３に図示したようにリーダライタ装置３には、復調・変調回路、エンコード・デコード回路など近接型の非接触データ通信を実施するために必要な回路が実装されたリーダライタ部３１と、電力搬送波を送信する電力供給用コイル３４と、過電流を検出する回路、過熱を検出する回路、バッテリ２２への充電を制御する充電制御ＩＣチップなどが実装され、電力供給用コイル３４が接続された電力供給部３３と、リーダライタ装置３のコイル面３ａから一定距離以内に存在する物体を検出するセンサ３２と、リーダライタ装置３全体を制御する制御部３０が備えられ、リーダライタ装置３には外部電源から電力が供給される。
【００２２】
なお、上述しているように、本実施形態において、データ通信用と充電用のコイルは別にしているため、リーダライタ装置３は、電力供給用コイル３４とは別に、携帯電話２の近接型非接触ＩＣチップ２１との近接型の非接触データ通信に利用するリーダライタ用コイル３５を備え、リーダライタ用コイル３５はリーダライタ部３１に接続されている。
【００２３】
リーダライタ装置３に備えられるセンサ３２は、リーダライタ装置３のコイル面３ａに接近する物体を検出するためにリーダライタ装置３に備えられ、物体までの距離が設定距離以内になると、物体を検出したことを示す検出信号を出力し、センサ３２としては、反射型の光電センサに加え、携帯電話２を所持する人の手を検知する赤外線センサを用いることができる。なお、センサ３２が、物体を検出したことを示す検出信号を出力するときの設定距離は、リーダライタ装置３の動作磁界の距離と同じか長めがよい。
【００２４】
リーダライタ装置３に備えられる制御部３０は、リーダライタ部３１を利用し、携帯電話２の近接型非接触ＩＣチップ２１が対応している特定機能に係わるトランザクション処理を実行する機能に加え、センサ３２及びリーダライタ部３１を利用して、携帯電話２のバッテリ２２への充電を制御する機能を備え、リーダライタ装置３の制御部３０は、センサ３２が物体を検知し、かつ、センサ３２が検出した物体と近接型の非接触データ通信できない場合、リーダライタ装置３の電力供給部３３を作動させ、携帯電話２のバッテリ２２に電力を充電する充電処理を実行する。
【００２５】
図３は、リーダライタ装置３に備えられた制御部３０が、携帯電話２のバッテリ２２への電力を充電する手順を示したフロー図である。なお、図３の説明は、本発明のバッテリ充電方法の説明も兼ねる。
【００２６】
リーダライタ装置３の制御部３０は起動すると、電力供給部３３の動作磁界内に存在する近接型非接触ＩＣチップ２１と近接型の非接触データ通信を開始するためのコマンドである初期応答コマンドを一定間隔おきに発信する動作をリーダライタ部３１に実行させ、更に、センサ３２からの検出信号を監視し、センサ３２がリーダライタ装置に近接している物体を検出したか監視する（Ｓ１０）。
【００２７】
なお、リーダライタ部３１が発信する初期応答コマンドは携帯電話２の近接型非接触ＩＣチップ２１に準拠し、例えば、近接型非接触ＩＣチップ２１がＩＳＯ／ＩＥＣ１４４４３ＴｙｐｅＡに準拠している場合、リーダライタ部３１が発信する初期応答コマンドは、ＩＳＯ／ＩＥＣ１４４４３で規定されているＲＥＱＡ（Request  Command,  Type  A）になる。
【００２８】
携帯電話２のリーダライタ部３１は、近接型非接触ＩＣチップ２１が対応している非接触通信プロトコル用にエンコードした初期応答コマンドを変調したデータ搬送波を、リーダライタ用コイル３５を用いて発信する。バッテリ２２の電力が枯渇していなければ、近接型非接触ＩＣチップ２１は、データ通信用コイル２５が受信したデータ搬送波を復調・デコードし、負荷変調などにより、初期応答コマンドのレスポンスをリーダライタ装置３に返信することになる。
【００２９】
リーダライタ装置３の制御部３０は、リーダライタ装置３に近接している物体を検出したことを示す検出信号がセンサ３２から出力されると（Ｓ１１）、該検出信号を受信してから一定時間（例えば、１秒）以内に、初期応答コマンドのレスポンスをリーダライタ部３１が受信したか判定し（Ｓ１２）、初期応答コマンドのレスポンスを受信した場合、携帯電話２のバッテリ２２に充電することなく、初期応答コマンドのレスポンスを返信した近接型非接触ＩＣチップ２１と、該近接型非接触ＩＣチップ２１が対応している特定機能（例えば、電子マネー）に係わるトランザクション処理を実行し（Ｓ１６）、トランザクション処理が終了すると、トランザクション処理の終了をトリガーとして充電処理を終了し（Ｓ１９）、この手順を終了する。
【００３０】
また、リーダライタ装置３に近接している物体を検出したことを示す検出信号を受信してから一定時間（例えば、１秒）以内に、初期応答コマンドのレスポンスをリーダライタ部３１が受信しなかった場合、携帯電話２の近接型非接触ＩＣチップ２１が動作するだけの残量が携帯電話２のバッテリ２２にない可能性があると判断し、リーダライタ装置３の制御部３０は電力供給部３３を作動させ、携帯電話２のバッテリ２２を非接触で充電する充電処理を開始する（Ｓ１３）。
【００３１】
充電処理するとき、電力供給部３３は、電力供給用コイル３４を利用し所定の周波数の電力搬送波を発信する。なお、電力搬送波とデータ搬送波の周波数は異なることが一般的ではあるが、同じであってもよい。電力搬送波は携帯電話２の充電用コイル２４によって受信され、リーダライタ装置３の電力供給用コイル３４と携帯電話の充電用コイル２４間の磁束の変化に伴う電磁誘導によって、携帯電話の充電用コイル２４の両端に交流電圧が発生し、携帯電話２のバッテリ充電部２３は、該交流電圧を直流に変換してバッテリ２２に充電する。
【００３２】
リーダライタ装置３の制御部３０は、充電処理を開始すると、充電処理を開始してからの時間を計測すると共に、リーダライタ部３１が初期応答コマンドのレスポンスを受信したか判定する（Ｓ１４）。
【００３３】
リーダライタ部３１が初期応答コマンドのレスポンスを受信した場合、リーダライタ装置３の制御部３０は、充電処理をしながら、携帯電話２の近接型非接触ＩＣチップ２１が対応している特定機能に係わるトランザクション処理を実行し（Ｓ１７）、トランザクション処理が終了すると、トランザクション処理の終了をトリガーとして充電処理を終了し（Ｓ１９）、この手順は終了する。
【００３４】
また、リーダライタ装置３の制御部３０は、リーダライタ部３１が初期応答コマンドのレスポンスを受信できなかった場合は、充電処理を開始してからの時間が設定時間（例えば、３秒）以内であるか判定し（Ｓ１５）、該時間が設定時間を超えている場合は、リーダライタ装置３の制御部３０は、センサ３２が検出した物体は携帯電話２ではないと判断し、充電処理を中断し（Ｓ１８）、携帯電話２の近接型非接触ＩＣチップ２１が対応している特定機能に係わるトランザクション処理を実行することなく、この手順を中断し、該時間が設定時間を超えている場合は、リーダライタ部３１が初期応答コマンドのレスポンスを受信したか判定する処理に戻る。
【００３５】
このように、リーダライタ装置３にセンサ３２を備えさせることで、リーダライタ装置３は、携帯電話２がリーダライタ装置３に近接した物体の有無を検出できる。携帯電話２のバッテリ２２の電力が枯渇している場合、近接型非接触ＩＣチップ２１は動作しないため、センサ３２が物体を検出したときに、該物体と非接触データ通信できるか判定し、非接触データ通信できない場合に、電力供給部３３を作動させて充電処理を開始することで、携帯電話２のバッテリ２２の電力が枯渇している場合には、携帯電話２のバッテリ２２に自動で充電できるようになる。
【００３６】
上述した実施形態では、物体と非接触通信が可能であるか判定することは、リーダライタ部３１が一定間隔毎に発信する初期応答コマンドのレスポンスを、センサ３２が物体を検出した後にリーダライタ部３１が受信した否かによって実施され、電力供給部３３を作動させてから設定時間が経過しても初期応答コマンドのレスポンスをリーダライタ部３１が受信できない場合は、該物体が携帯電話２でないため、充電処理を中断することが望ましい。
【００３７】
また、設定時間内に初期応答コマンドのレスポンスをリーダライタ部３１が受信できた場合、充電処理を中断することなく、近接型非接触ＩＣチップ２１が対応している特定機能に係わるトランザクション処理を実行すれば、トランザクション処理中にバッテリ２２の電力が枯渇することはなくなる。
【００３８】
なお、本発明は、これまで説明した実施の形態に限定されることなく、種々の変形や変更が可能である。例えば、上述した実施形態では、充電処理しながら、近接型非接触ＩＣチップ２１が対応している特定機能に係わるトランザクション処理を行っていたが、リーダライタ装置３に携帯電話２を嵌める凹部を設け、携帯電話２に内蔵された充電用コイル２４とリーダライタ装置３に内蔵された電力供給用コイル３４の相対位置を固定にできる場合など、携帯電話２が、初期応答コマンドのレスポンスを送信した時点で、近接型非接触ＩＣチップ２１が対応している特定機能に係わるトランザクション処理を１回だけ実行できるだけの電力がバッテリ２２に充電できると予め想定できる場合、省電力化を図るために、トランザクション処理を開始した時点（図３ではＳ１７）で、充電処理を終了させてもよい。
【符号の説明】
【００３９】
１    バッテリ充電システム
２    携帯電話
２０  ベース回路部
２１  近接型非接触ＩＣチップ
２２  バッテリ
２３  バッテリ充電部
２４  充電用コイル
２５  データ通信用コイル
３    リーダライタ装置
３０  制御部
３１  リーダライタ部
３２  センサ
３３  電力供給部
３４  リーダライタ用コイル
３５  電力供給用コイル
【図１】
2014140305.tif 000003
【図２】
2014140305.tif 000004
【図３】
2014140305.tif 000005